(57)【要約】  幼児の衣服へおしゃぶりを繋ぎ留めるための装置であって、  可撓性バンドと、  バンドの一端におしゃぶりを繋ぎ留める手段と、  バンドの他端に幼児の衣服に繋ぎ留めるクリップで、一側に２個のアームを有するディスク状担体を有しており、そのそれぞれが端部に爪を有しており、この爪が少なくとも１個のばね弾性アームの同伴位置から分離位置への操作を通じて揺動可能であり、アーム解放時に同伴位置へ復帰するクリップとを有することを特徴とする装置。【選択図】図１
2011529751.tif 000002
【特許請求の範囲】
【請求項１】
幼児の衣服へおしゃぶりを繋ぎ留めるための装置であって、
可撓性バンド（１）と、
バンドの一端におしゃぶりを繋ぎ留める手段（３）と、
バンド（１）の他端に幼児の衣服に繋ぎ留めるクリップ（２）で、一側に２個のアーム（１２、１３）を有するディスク状担体（１０）を有しており、そのそれぞれが端部に爪（１４、１５）を有しており、この爪が少なくとも１個のばね弾性アーム（１３）の同伴位置から分離位置への操作を通じて揺動可能であり、アーム（１３）解放時に同伴位置へ復帰するクリップ（２）とを有することを特徴とする装置。
【請求項２】
前記担体（１０）は円形あるいは楕円形の形状を有する、請求項１に記載の装置。
【請求項３】
前記担体（１０）は少なくとも１個の緊急呼吸孔（１１）を有する、請求項１に記載の装置。
【請求項４】
エッジに近い前記担体（１０）が前記バンド（１）の一区画を給送するスリット（１８）を有する、請求項１から３のいずれか１項に記載の装置。
【請求項５】
前記アーム（１２，１３）は大半が薄板状をなす、請求項１から４のいずれか１項に記載の装置。
【請求項６】
前記アーム（１２，１３）は対向面に凹部（１９，２０）を有し、その箇所でアーム（１２，１３）が互いに係合する、請求項１から５のいずれか１項に記載の装置。
【請求項７】
前記爪（１４，１５）はディスク状をなす、請求項１から６のいずれか１項に記載の装置。
【請求項８】
前記爪（１４，１５）は、対向する側面に衣服の一片を把持する手段（１６，１７）を有する、請求項１から７のいずれか１項に記載の装置。
【請求項９】
前記クリップ（２）は単一のプラスチック部材で作成する、請求項１から８のいずれか１項に記載の装置。
【請求項１０】
前記クリップ（２）はプラスチックで作成する、請求項１から９のいずれか１項に記載の装置。
【請求項１１】
前記クリップ（２）はポリプロピレンで作成する、請求項１０に記載の装置。
【請求項１２】
前記クリップ（２）は射出成形する、請求項１から１１のいずれか１項に記載の装置。
【請求項１３】
前記クリップ（２）は射出成形し、前記爪（１４，１５）の内側を互いに対向離間させ、続いてアーム前期（１２，１３）の側方回避運動を受けて互いに押し当て、弾性的予張力を受けてこれらをその初期位置にて互いに係止させるようにした、請求項１２に記載の装置。
【請求項１４】
前記クリップ（２）はアーム前記（１２，１３）に離間対向する前記担体（１０）の少なくとも一側に印刷する、請求項１から１３のいずれか１項に記載の装置。
【請求項１５】
幼児の衣服へおしゃぶりを繋ぎ留めるための装置であって、
可撓性バンド（１）と、
可撓性バンド（１）の一端にあって幼児の衣服に繋ぎ留めるクリップ（２）と、
可撓性バンド（１）の他端にあるバックル（２１）で、一端におしゃぶり（６）のスタッド（７）にそれを圧嵌させる弾性繋ぎ留めリング（２４）を有し、おしゃぶり（４）の保持リング（５）に差し込んで後方に屈曲した場合に繋ぎ留めリング（２４）内に掛止させることのできるストラップ（２５）を他端に有するバックルとを有することを特徴とする装置。
【請求項１６】
請求項１から１４のいずれか１項に記載の特徴を有する、請求項１５に記載の装置。
【請求項１７】
前記繋ぎ留めバックル（２１）はディスク状をなし、前記バンド（１）を挿通させて給送する２個の平行スリット（２２，２３）を有する、請求項１５または１６に記載の装置。
【請求項１８】
前記繋ぎ留めバックル（２１）は円形ディスク形状か楕円形か多角形をなす、請求項１５から１７のいずれか１項に記載の装置。
【請求項１９】
前記繋ぎ留めリング（２４）とストラップ（２５）は、前記繋ぎ留めバックル（２１）の直径方向に対向するエッジから外方へ突出する、請求項１５から１８のいずれか１項に記載の装置。
【請求項２０】
前記繋ぎ留めバックル（２１）と繋ぎ留めリング（２４）とストラップ（２５）は、一部材として設計する、請求項１５から１９のいずれか１項に記載の装置。
【請求項２１】
前記繋ぎ留めバックル（２１）と繋ぎ留めリング（２４）とストラップ（２５）は、プラスチックあるいはシリコーンで作成する、請求項１５から２０のいずれか１項に記載の装置。
【請求項２２】
前記バンド（１）はフィルムあるいは編織布で作成する、請求項１から２１のいずれか１項に記載の装置。
【請求項２３】
前記バンド（１）はプラスチックで作成する、請求項１から２２のいずれか１項に記載の装置。
【請求項２４】
前記バンド（１）はポリエステルで作成する、請求項１から２３のいずれか１項に記載の装置。
【請求項２５】
前記クリップ（２）および／または前記繋ぎ留め手段（３）の開口を介して給送されるバンド（１）の一区画の一端を、端部から所定距離でバンド（１）付き釦に縫合および／または接着および／または融着および／または掛止および／または結節および／または接合および／または織編および／または接続する、請求項１から２４のいずれか１項に記載の装置。
【発明の詳細な説明】
【技術分野】
【０００１】
本発明は、幼児の衣服におしゃぶりを繋ぎ留める装置に関する。
【背景技術】
【０００２】
おしゃぶりは、乳児や幼児の哺乳要求を満たし、それによって彼等を落ち着かせるのに役立つ。おしゃぶりは、通常ラテックスやシリコーンで出来たマウスピースと、マウスピースが飲み込まれないようにするシールドとで大半が構成される。マウハピースを清潔に保つことは、重要である。おしゃぶりを清掃後に最初に使用する場合、これは問題とならない。おしゃぶりが地面に落下した場合、それは汚れることがあり、適切な清掃選択肢が利用可能でない場合、直ちに再使用できない。幼児が夜中におしゃぶりを紛失すると、往々にして目を覚ましている期間中にそれを発見できず、しばらくの間は睡眠を妨害される結果となる。
【０００３】
幼児の衣服におしゃぶりを繋ぎ留める装置は既に知られており、それはおしゃぶりが幼児の口から床面に落下しないようにし、幼児が夜中に紛失したおしゃぶりを発見するのをより容易にするものである。この種の装置は米国特許第４，９９９，１５７号から公知で、プラスチックバンドを備えており、その一端がループを介しておしゃぶりの保持リングに繋がれており、他端は別のループを介して幼児の衣服に繋ぎ留めるクリップに接続されている。クリップは、単一のプラスチック部材で作成する。それは２個のアームを有しており、それらは一端で互いに接続されており、接続領域から穿孔付きストラップが突出し、この接続領域を通って別のループが給送される。アームは互いに重なり合っていて、他端に２個の爪を有しており、これらが予張力を受けて互いに係止している。このため、クリップのアームは製造後に互いに被さるよう押し付けられ、アームに接続された保持ロッドにより重複配置状態に保持される。
【発明の概要】
【発明が解決しようとする課題】
【０００４】
この公知の装置は、おしゃぶりの接続の確立に骨が折れるという欠点を有する。しかしながら、おしゃぶりは幼児の衣服に繋ぎ留める装置から清掃目的に合わせ定期的に分離させねばならない。加えて、公知の装置はスタッド付きのおしゃぶりに繋ぎ留めることはできない。
【０００５】
開放状態にある２個のアームをまさしく併せ若干押圧する必要があるため、クリップが幼児の衣服から簡単に取り外せない点も不利である。展開アームを有するクリップが衣服に対し垂直に配置されるよう、アームは２個の挟持部の固締面に対し対角的に整列配置されているため、クリップは縁に繋ぎ留めるのにも適していない。その結果、展開アームが衣服の外側に係止するよう、クリップを繋ぎ留める垂直突出褶曲が衣服内へのクリップの繋ぎ留め用に導入される。小さな褶曲に対する繋ぎ留めはまた確実ではなく、かくしてクリップは簡単に緩むことがある。
【課題を解決するための手段】
【０００６】
このことに基づき、本発明の目的は簡単に繋ぎ留められ解放することのできる幼児の衣服におしゃぶりを繋ぎ留める装置を提供することにある。
【０００７】
この目的は、請求項１の特徴を有する装置を介して解決される。有利な実施形態は、従属請求項に特定してある。
幼児の衣服に着けるおしゃぶりのための本発明になる装置は、
可撓性バンドと、
バンドの一端におしゃぶりを繋ぎ留める手段と、
バンドの他端に幼児の衣服に繋ぎ留めるクリップで、一側に２個のアームを有するディスク状担体を有しており、そのそれぞれが端部に爪を有しており、この爪が少なくとも１個のばね弾性アームの同伴位置から分離位置への操作を通じて揺動可能であり、アーム解放時に同伴位置へ復帰するクリップとを有する。
【０００８】
本発明装置の場合、アームはディスク状担体の同じ側面から突出する。クリップは衣服の縁に繋ぎ留めることができ、ここで担体は縁の近傍で衣服の頂部側と平行に整列配置される。このことで、クリップの確実な繋ぎ留めが助長される。おしゃぶりに対するクリップの多様な配置能力は爪の大型設計に好都合であり、そのことが片や衣服に対するクリップの確実な繋ぎ留めに恩恵をもたらす。担体がクリップを覆うという事実が故に、幼児によるクリップの操作は妨害される。しかしながら、大人はばね弾性アームの下側に人差し指を押し当て、親指を担体に置いて人差し指と親指を併せ圧搾することで、問題なくそれを動作させることができる。おしゃぶりが口から落下した場合、おしゃぶりとは簡単に差別化可能な担体の滑らかな表面から始まるおしゃぶりに至るバンドに沿うその道筋を感じ取ることで、幼児は簡単にこれを発見することができる。
【０００９】
一実施形態によれば、担体は円形あるいは楕円形の形状を有する。別の実施形態によれば、担体は幼児がクリップを飲み込んだ場合の少なくとも１個の緊急呼吸孔を有する。
バンドとクリップとの間の接続は、異なる仕方で設計することができる。例えば、バンドをクリップに接着するか、あるいはそれをクリップに融着させることが可能である。その設計に従い、担体はバンドの一区画を介して給送できるようエッジ近傍にスリットを有する。バンドの一端をスリット内に挿通させ、例えば結び目を作ることでループを閉じることができる。
【００１０】
一実施形態によれば、アームは薄板状とし、それによってそれらが体表面に対し不快な圧力を一切及ぼさないようにする。
【００１１】
別の実施形態によれば、アームはアームが互いに把持する箇所で互いに対向する側に凹部を有する。これは、薄板状アーム設計の場合、基本的には米国特許第４，９９０，１５７号に記載されているプラスチックで出来たクリップの一体設計に役立つ。
別の実施形態によれば、爪はディスク状であり、それによって確実な固定用の大型の固締面が恩恵を受ける。別の実施形態によれば、爪は確実に繋ぎ留められるよう衣服の一片を把持する手段と共に対向面に配設してある。これらの手段は、例えば突出する歯あるいはリブである。突出リブは、好ましくは鋸歯状輪郭を有する。
【００１２】
一実施形態によれば、クリップは一体部材として製造される。別の実施形態によれば、それはプラスチック、例えばポリプロピレンで作成する。別の実施形態によれば、クリップは射出成形される。クリップは好ましくは射出成形され、これにより射出成形ツールから取り除いた後で爪の内側が互いに対向し、アームの側方回避運動を受けて互いを上にして押し付け、内側が弾性的予張力を受けた状態で、その初期位置にて互いに係止させる。この点で、製造は米国特許第４，９９０，１５７号に従う一体型クリップの製造に大半が対応する。好適な実施形態では、アームは互いを上にして機械的に押し付ける前に沸騰水内で加熱し、その結果、アームを互いに押し付けたときに応力白化が一切発生しないようにする。
【００１３】
別の実施形態によれば、クリップは、アームとは離間対向する担体の少なくとも一側に印刷する。印刷は、例えばおしゃぶりでは普通である如く、製造業者の荷印および／または商標とすることができる。
【００１４】
さらに、この目的は請求項１５の特徴を有する装置を介して解決される。本装置の好都合な実施形態は、他の従属請求項に特定してある。
幼児の衣服へおしゃぶりを繋ぎ留めるための本発明装置は、
可撓性バンドと、
可撓性バンドの一端にあって幼児の衣服に繋ぎ留めるクリップと、
可撓性バンドの他端にあるバックルで、一端におしゃぶりのスタッドにそれを圧嵌させる弾性繋ぎ留めリングを有し、おしゃぶりの保持リングに差し込んで後方に屈曲した場合に繋ぎ留めリング内に掛止させることのできるストラップを他端に有するバックルとを有する。
【００１５】
本発明になる装置は、スタッド付きのおしゃぶりと、これに加え保持リング付きおしゃぶりもまた簡単な仕方で繋ぎ留めることができる。第１の種別の前述のおしゃぶりの場合、繋ぎ留めリングは単純にスタッド上に圧嵌させる。第２の種別の前述のおしゃぶりの場合、繋ぎ留めリングは保持リングを挿通して給送され、後方に屈曲され、保持リングが繋ぎ留めリングをループ状態様にて囲繞するようにする。ループは、そこでストラップを後方屈曲繋ぎ留めリング内に掛止することで閉じられる。ストラップは、好ましくは弾性的であるようにもする。両方の場合とも、バンドとおしゃぶりとの間に確実な接続が達成され、この接続はまた、特におしゃぶりを清掃する必要がある場合に大人が簡単に解放することができる。
【００１６】
請求項１５の装置は、好ましくは請求項１および適用可能な場合は請求項１に従属する従属請求項とに従う装置の特性もまた有する。
【００１７】
バンドは、例えば接着あるいは融着を介してバックル上に異なる仕方で繋ぎ留めることができる。一実施形態によれば、繋ぎ留めバックルはディスク状であり、おしゃぶりバンドを挿通させて給送する２個の平行なスリットを有する。おしゃぶりの一端を２個のスリットに挿通させ、例えば結び目を作ることで閉じることができる。
【００１８】
別の実施形態によれば、繋ぎ留めバックルは円形ディスク形状とする。別の実施形態によれば、繋ぎ留めリングとストラップは繋ぎ留めバックルの直径方向に対向するエッジから外方に突出させる。
【００１９】
別の実施形態によれば、繋ぎ留めバックルと繋ぎ留めリングとストラップとは一部材として設計する。
【００２０】
別の実施形態によれば、繋ぎ留めバックルと繋ぎ留めリングとループとはプラスチックあるいはシリコーンで作成する。
【００２１】
バンドの下記の実施形態は、請求項１になる発明とこれに請求項１５になる発明もまた加え、その両方に当てはまる。
【００２２】
一実施形態では、バンドはフィルムもしくは編織布材料で作成する。編織布材料は、繊維組成から出来た可撓性材料とする。
【００２３】
一実施形態によれば、バンドはプラスチックあるいは天然素材で作成する。別の実施形態によれば、バンドはポリエステルで作成する。
【００２４】
このバンドは、例えば繊維あるいは紐とする。一実施形態によれば、バンドは平坦な材料とする。
【００２５】
一実施形態によれば、クリップおよび／または繋ぎ留め手段の開口を挿通して給送されるバンドの一区画の一端を、端部から所定距離でバンド付き釦に縫合および／または接着および／または融着および／または掛止および／または結節および／または接合および／または織編および／または接続する。
【００２６】
本発明になる装置を、好適な例示実施形態を示す図面に基づき下記に説明する。図面は、下記を示すものである。
【図面の簡単な説明】
【００２７】
【図１】保持リング付きおしゃぶりに繋ぎ留めた装置を斜視図にて示す。
【図２】スタッド付きおしゃぶりに繋ぎ留めた装置を斜視図にて示す。
【図３】アームを互いに咬合させる前の装置のクリップを側面図にて示す。
【図４】アームを互いに咬合させた後のクリップを拡大側面図にて示す（図４は、図３よりもリブが少ない爪を示す）。
【図５】バンドの端部の上にリングとストラップを繋ぎ留めるバックルを正面図にて示す。
【図６】後方屈曲する繋ぎ留めリングに掛止させたストラップを斜視図にて示す。
【図７】閉じた状態（図７．１）と開いた状態（図７．２）の鋏状の開口を有するクリップを概略側面図にて示す。
【図８】閉じた状態（図８．１）と開いた状態（図８．２）の均一な開口を有するクリップを示す。
【図９】爪上に少数のリブを有するクリップのアームを側面図にて示す。
【図１０】爪の自由端からの距離が増すにつれて高さが減少する爪の上に多数のリブを有するクリップのアームを示す。
【発明を実施するための形態】
【００２８】
図１と図２によれば、装置は可撓性バンド１を有する。バンド１は、例えばプラスチック繊維で出来た編織布である。
【００２９】
クリップ２は、バンド１の一端に繋ぎ留めてある。おしゃぶり４にホルダー５（図１）を、あるいは個別にはおしゃぶり６にスタッド７（図２）を繋ぎ留める手段３が、バンド１の他端に繋ぎ留めてある。おしゃぶり４，６はそれぞれシールドを有し、その内側の凹部からマウスピース９が突出している。
【００３０】
図３によれば、クリップ２は緊急時呼吸孔１１を備えるディスク状担体１０を有する。薄板状のアーム１２，１３が、ディスク状担体１０の一側から突出している。アーム１２は、若干外方に屈曲させてある。アーム１２，１３はディスク状担体１０に対し鋭角で同一方向に若干傾斜させてあり、端部に爪１４，１５を有する。爪１４，１５はアーム１２，１３に対し屈曲させてあり、押し込まれたアーム１２，１３の場合、それらは担体１０に対しほぼ平行に配列される（図４参照）。爪１４，１５は、互いを上にして押し付けたアーム１２，１３の場合には互いに対向し、その内側にそれぞれ数個の平行な鋸歯状リブ１６，１７を有する。アーム１２，１３は、その側面に凹部１９，２０を有する。アーム１３は内側にリブ１３．１を有しており、これにより、アーム１３と担体１０との間に指が入って挟みつけられるのが阻止される。
【００３１】
担体１０は楕円形状を有するとともに、楕円が小径を有するその端部領域にバンド１の一端を挿通給送させることのできるスリット１８を有する（図１と図２）。
【００３２】
クリップ２は、射出成形によりポリプロピレンから一部材として製造される。射出成形ツールから取り外した後、クリップは沸騰水内で加熱し、アーム１２，１３が互いに重なるよう押し付け、これにより、凹部１９，２０が互いに係合する。爪１４，１５はそこで、予張力を受けてそれらのリブ付き内側が互いに係止する。
【００３３】
バンド１の一端はスリット１８を介して挿入され、挿入した端部にはバンド１が縫合および／または接着および／または融着される。
【００３４】
おしゃぶりに繋ぎ留める手段３は、図５になる円形ディスク形状の繋ぎ留めバックル２１を有しており、これがバンド１の一端を挿入する２個の平行なスリット２２，２３を有する。繋ぎ留めリング２４とストラップ２５が、繋ぎ留めバックル２１の対向するエッジから外方へ突出している。おしゃぶりに繋ぎ留めるこれらの手段３は、例えば射出成形を介してプラスチックあるいはシリコーンから一体的に作成する。
【００３５】
おしゃぶりを繋ぎ留めるこれらの手段３には、ループ状様態にてスリット内を挿通して給送されるバンド１の端部が接続してあり、バンド１を縫合および／または接着および／または融着させる（図１と図２）。
図１と図６によれば、おしゃぶり４の繋ぎ留め手段３には保持リング５を接続することができ、繋ぎ留めリング２４に保持リング５を挿通させ、後方に屈曲させ、そこでストラップ２５を掛止させる形をとる。
【００３６】
図２によれば、おしゃぶり６を繋ぎ留める手段３にはスタッド７が接続してあり、繋ぎ留めリング２４をスタッド７に圧嵌させる形がとられる。
【００３７】
装置とおしゃぶり４，６との間の接続は、互いに逆方向に簡単に分離することができる。
【００３８】
さらに、装置はクリップ２の固締を介して縁に確実に繋ぎ留めることができる。
【００３９】
図７によれば、担体１０．１上のクリップ２．１はアーム１２．１，１３．１を有しており、それらはそれらの爪１４．１，１５．１が閉じた状態（図７．１）では互いに平行に配置され、それらの爪１４．１，１５．１が開いた状態（図７．２）では鋏の如く開いている。
【００４０】
図８によれば、担体１０．２上のクリップ２．２はアーム１２．２，１３．２を有しており、それらの１４．２，１５．２が閉じた状態（図８．１）でそれらは互いに対し鋭角に配置され、爪１４．２，１５．２が閉じた状態（図８．２）で互いにほぼ平行をなす。
【００４１】
図９によれば、クリップ２．３はアーム１２．３，１３．３を有しており、ここで爪１４．３上のアーム１２．３には１個のリブ１６．３しか配設されておらず、その爪１５．３上のアーム１３．３には２個のリブ１７．３が配設されている。リブ１６．３は、クリップ２．３の閉じた状態においてリブ１７．３間に係合する。
【００４２】
図１０によれば、クリップ２．４はアーム１２．４，１３．４を有する。アーム１２．４の爪１４．４には数個の平行リブ１６．４が配設してあり、リブの高さはアーム１２．４の自由端から遠ざかるにつれ減少する。アーム１３．４には数個の平行リブ１７．４を有する爪１４．４上に配設してあり、このリブの高さもアーム１３．４の自由端から遠ざかるにつれ減少する。
【図１】
2011529751.tif 000003
【図２】
2011529751.tif 000004
【図３】
2011529751.tif 000005
【図４】
2011529751.tif 000006
【図５】
2011529751.tif 000007
【図６】
2011529751.tif 000008
【図７．１】
2011529751.tif 000009
【図７．２】
2011529751.tif 000010
【図８．１】
2011529751.tif 000011
【図８．２】
2011529751.tif 000012
【図９】
2011529751.tif 000013
【図１０】
2011529751.tif 000014
【手続補正書】
【提出日】平成22年6月7日(2010.6.7)
【手続補正１】
【補正対象書類名】特許請求の範囲
【補正対象項目名】全文
【補正方法】変更
【補正の内容】
【特許請求の範囲】
【請求項１】
幼児の衣服へおしゃぶりを繋ぎ留めるための装置であって、
可撓性バンド（１）と、
可撓性バンド（１）の一端にあって幼児の衣服に繋ぎ留めるクリップ（２）と、
可撓性バンド（１）の他端にあるバックル（２１）で、一端におしゃぶり（６）のスタッド（７）にそれを圧嵌させる弾性繋ぎ留めリング（２４）を有し、おしゃぶり（４）の保持リング（５）に差し込んで後方に屈曲した場合に繋ぎ留めリング（２４）内に掛止させることのできるストラップ（２５）を他端に有するバックルとを有することを特徴とする装置。
【請求項２】
前記バックル（２１）はディスク状をなし、前記バンド（１）を挿通させて給送する２個の平行スリット（２２，２３）を有する、請求項１に記載の装置。
【請求項３】
前記バックル（２１）は円形ディスク形状か楕円形か多角形をなす、請求項１または２に記載の装置。
【請求項４】
前記繋ぎ留めリング（２４）とストラップ（２５）は、前記バックル（２１）の直径方向に対向するエッジから外方へ突出する、請求項１から３のいずれか１項に記載の装置。
【請求項５】
前記バックル（２１）と繋ぎ留めリング（２４）とストラップ（２５）は、一部材として設計する、請求項１から４のいずれか１項に記載の装置。
【請求項６】
前記バックル（２１）と繋ぎ留めリング（２４）とストラップ（２５）は、プラスチックあるいはシリコーンで作成する、請求項１から４のいずれか１項に記載の装置。
【請求項７】
可撓性バンド（１）と、
バンドの一端におしゃぶりを繋ぎ留める手段（３）と、
バンド（１）の他端に幼児の衣服に繋ぎ留めるクリップ（２）で、一側に２個のアーム（１２、１３）を有するディスク状担体（１０）を有しており、そのそれぞれが端部に爪（１４、１５）を有しており、この爪が少なくとも１個のばね弾性アーム（１３）の同伴位置から分離位置への操作を通じて揺動可能であり、アーム（１３）解放時に同伴位置へ復帰するクリップ（２）とを有し、前記担体（１０）の縁の近くにはスリット（１８）が設けられ、その部分を通って前記バンド（１）の一端が導かれることを特徴とする請求項１から６の何れか１項に記載の幼児服へおしゃぶりを繋ぎ留めるための装置。
【請求項８】
前記担体（１０）は円形あるいは楕円形の形状を有する、請求項７に記載の装置。
【請求項９】
前記担体（１０）は少なくとも１個の緊急呼吸孔（１１）を有する、請求項７または８に記載の装置。
【請求項１０】
前記アーム（１２，１３）は大半が薄板状をなす、請求項７から９のいずれか１項に記載の装置。
【請求項１１】
前記アーム（１２，１３）は対向面に凹部（１９，２０）を有し、その箇所でアーム（１２，１３）が互いに係合する、請求項７から１０のいずれか１項に記載の装置。
【請求項１２】
前記爪（１４，１５）はディスク状をなす、請求項７から１１のいずれか１項に記載の装置。
【請求項１３】
前記爪（１４，１５）は、対向する側面に衣服の一片を把持する手段（１６，１７）を有する、請求項７から１２のいずれか１項に記載の装置。
【請求項１４】
前記クリップ（２）はプラスチックで作成すると共に、該クリップ（２）は射出成形し、前記爪（１４，１５）の内側を互いに対向離間させ、続いてアーム前期（１２，１３）の側方回避運動を受けて互いに押し当て、弾性的予張力を受けてこれらをその初期位置にて互いに係止させるようにした、請求項７〜１３の何れか１項に記載の装置。
【請求項１５】
前記クリップ（２）はアーム前記（１２，１３）に離間対向する前記担体（１０）の少なくとも一側に印刷する、請求項７から１４のいずれか１項に記載の装置。
【手続補正２】
【補正対象書類名】明細書
【補正対象項目名】全文
【補正方法】変更
【補正の内容】
【発明の詳細な説明】
【技術分野】
【０００１】
本発明は、幼児の衣服におしゃぶりを繋ぎ留める装置に関する。
【背景技術】
【０００２】
おしゃぶりは、乳児や幼児の哺乳要求を満たし、それによって彼等を落ち着かせるのに役立つ。おしゃぶりは、通常ラテックスやシリコーンで出来たマウスピースと、マウスピースが飲み込まれないようにするシールドとで大半が構成される。マウハピースを清潔に保つことは、重要である。おしゃぶりを清掃後に最初に使用する場合、これは問題とならない。おしゃぶりが地面に落下した場合、それは汚れることがあり、適切な清掃選択肢が利用可能でない場合、直ちに再使用できない。幼児が夜中におしゃぶりを紛失すると、往々にして目を覚ましている期間中にそれを発見できず、しばらくの間は睡眠を妨害される結果となる。
【０００３】
幼児の衣服におしゃぶりを繋ぎ留める装置は既に知られており、それはおしゃぶりが幼児の口から床面に落下しないようにし、幼児が夜中に紛失したおしゃぶりを発見するのをより容易にするものである。この種の装置は米国特許第４，９９９，１５７号から公知で、プラスチックバンドを備えており、その一端がループを介しておしゃぶりの保持リングに繋がれており、他端は別のループを介して幼児の衣服に繋ぎ留めるクリップに接続されている。クリップは、単一のプラスチック部材で作成する。それは２個のアームを有しており、それらは一端で互いに接続されており、接続領域から穿孔付きストラップが突出し、この接続領域を通って別のループが給送される。アームは互いに重なり合っていて、他端に２個の爪を有しており、これらが予張力を受けて互いに係止している。このため、クリップのアームは製造後に互いに被さるよう押し付けられ、アームに接続された保持ロッドにより重複配置状態に保持される。
【発明の概要】
【発明が解決しようとする課題】
【０００４】
この公知の装置は、おしゃぶりの接続の確立に骨が折れるという欠点を有する。しかしながら、おしゃぶりは幼児の衣服に繋ぎ留める装置から清掃目的に合わせ定期的に分離させねばならない。加えて、公知の装置はスタッド付きのおしゃぶりに繋ぎ留めることはできない。
【０００５】
開放状態にある２個のアームをまさしく併せ若干押圧する必要があるため、クリップが幼児の衣服から簡単に取り外せない点も不利である。展開アームを有するクリップが衣服に対し垂直に配置されるよう、アームは２個の挟持部の固締面に対し対角的に整列配置されているため、クリップは縁に繋ぎ留めるのにも適していない。その結果、展開アームが衣服の外側に係止するよう、クリップを繋ぎ留める垂直突出褶曲が衣服内へのクリップの繋ぎ留め用に導入される。小さな褶曲に対する繋ぎ留めはまた確実ではなく、かくしてクリップは簡単に緩むことがある。
【０００６】
米国特許第６，６３８，２９８号はおしゃぶり用のカバー付きクリップとバンドについて開示している。カバーは、おしゃぶりの吸引部分のための空洞を有している。バンドはクリップの爪に固定されている。子供服へのクリップの固定と取り外しは、大きなカバーによって妨げられている。更に、バンドは、留め具の爪の間に入るので、衣類から意図しないクリップの取り外しが容易に発生する。
日本国特願２００５−０００３１３号は、非常用の呼吸孔を備えたおしゃぶりについて開示している。
【課題を解決するための手段】
【０００７】
このことに基づき、本発明の目的は簡単に繋ぎ留められ解放することのできる幼児の衣服におしゃぶりを繋ぎ留める装置を提供することにある。
【０００８】
この目的は、請求項１の特徴を有する装置を介して解決される。有利な実施形態は、従属請求項に特定してある。
幼児の衣服へおしゃぶりを繋ぎ留めるための本発明装置は、
可撓性バンドと、
可撓性バンドの一端にあって幼児の衣服に繋ぎ留めるクリップと、
可撓性バンドの他端にあるバックルで、一端におしゃぶりのスタッドにそれを圧嵌させる弾性繋ぎ留めリングを有し、おしゃぶりの保持リングに差し込んで後方に屈曲した場合に繋ぎ留めリング内に掛止させることのできるストラップを他端に有するバックルとを有する。
【０００９】
本発明になる装置は、スタッド付きのおしゃぶりと、これに加え保持リング付きおしゃぶりもまた簡単な仕方で繋ぎ留めることができる。第１の種別の前述のおしゃぶりの場合、繋ぎ留めリングは単純にスタッド上に圧嵌させる。第２の種別の前述のおしゃぶりの場合、繋ぎ留めリングは保持リングを挿通して給送され、後方に屈曲され、保持リングが繋ぎ留めリングをループ状態様にて囲繞するようにする。ループは、そこでストラップを後方屈曲繋ぎ留めリング内に掛止することで閉じられる。ストラップは、好ましくは弾性的であるようにもする。両方の場合とも、バンドとおしゃぶりとの間に確実な接続が達成され、この接続はまた、特におしゃぶりを清掃する必要がある場合に大人が簡単に解放することができる。
【００１０】
バンドは、例えば接着あるいは融着を介してバックル上に異なる仕方で繋ぎ留めることができる。一実施形態によれば、バックルはディスク状であり、おしゃぶりバンドを挿通させて給送する２個の平行なスリットを有する。おしゃぶりの一端を２個のスリットに挿通させ、例えば結び目を作ることで閉じることができる。
別の実施形態によれば、バックルは円形ディスク形状とする。別の実施形態によれば、繋ぎ留めリングとストラップは繋ぎ留めバックルの直径方向に対向するエッジから外方に突出させる。
【００１１】
別の実施形態によれば、バックルと繋ぎ留めリングとストラップとは一部材として設計する。
【００１２】
別の実施形態によれば、バックルと繋ぎ留めリングとループとはプラスチックあるいはシリコーンで作成する。
【００１３】
さらに、この目的は請求項７の特徴を有する装置を介して解決される。本装置の好都合な実施形態は、他の従属請求項に特定してある。
幼児の衣服に繋ぎ留めるおしゃぶりのための本発明になる装置は、
可撓性バンドと、
バンドの一端におしゃぶりを繋ぎ留める手段と、
バンドの他端に幼児の衣服に繋ぎ留めるクリップで、一側に２個のアームを有するディスク状担体を有しており、そのそれぞれが端部に爪を有しており、この爪が少なくとも１個のばね弾性アームの同伴位置から分離位置への操作を通じて揺動可能であり、アーム解放時に同伴位置へ復帰するクリップとを有し、担体の縁の近くにはスリットが設けられ、その部分を通ってバンドの一端が導かれる。
【００１４】
本発明装置の場合、アームはディスク状担体の同じ側面から突出する。クリップは衣服の縁に繋ぎ留めることができ、ここで担体は縁の近傍で衣服の頂部側と平行に整列配置される。このことで、クリップの確実な繋ぎ留めが助長される。おしゃぶりに対するクリップの多様な配置能力は爪の大型設計に好都合であり、そのことが片や衣服に対するクリップの確実な繋ぎ留めに恩恵をもたらす。担体がクリップを覆うという事実が故に、幼児によるクリップの操作は妨害される。しかしながら、大人はばね弾性アームの下側に人差し指を押し当て、親指を担体に置いて人差し指と親指を併せ圧搾することで、問題なくそれを動作させることができる。おしゃぶりが口から落下した場合、おしゃぶりとは簡単に差別化可能な担体の滑らかな表面から始まるおしゃぶりに至るバンドに沿うその道筋を感じ取ることで、幼児は簡単にこれを発見することができる。
【００１５】
一実施形態によれば、担体は円形あるいは楕円形の形状を有する。別の実施形態によれば、担体は幼児がクリップを飲み込んだ場合の少なくとも１個の緊急呼吸孔を有する。
【００１６】
キャリヤの縁の近くには、スリットが設けられ、バンドの一端はスリットを通って、例えば輪を結ぶことで、輪状に閉じられる。
【００１７】
一実施形態によれば、アームは薄板状とし、それによってそれらが体表面に対し不快な圧力を一切及ぼさないようにする。
【００１８】
別の実施形態によれば、アームはアームが互いに把持する箇所で互いに対向する側に凹部を有する。これは、薄板状アーム設計の場合、基本的には米国特許第４，９９０，１５７号に記載されているプラスチックで出来たクリップの一体設計に役立つ。
【００１９】
別の実施形態によれば、爪はディスク状であり、それによって確実な固定用の大型の固締面が恩恵を受ける。別の実施形態によれば、爪は確実に繋ぎ留められるよう衣服の一片を把持する手段と共に対向面に配設してある。これらの手段は、例えば突出する歯あるいはリブである。突出リブは、好ましくは鋸歯状輪郭を有する。
【００２０】
一実施形態によれば、クリップは一体部材として製造される。別の実施形態によれば、それはプラスチック、例えばポリプロピレンで作成する。別の実施形態によれば、クリップは射出成形される。クリップは好ましくは射出成形され、これにより射出成形ツールから取り除いた後で爪の内側が互いに対向し、アームの側方回避運動を受けて互いを上にして押し付け、内側が弾性的予張力を受けた状態で、その初期位置にて互いに係止させる。この点で、製造は米国特許第４，９９０，１５７号に従う一体型クリップの製造に大半が対応する。好適な実施形態では、アームは互いを上にして機械的に押し付ける前に沸騰水内で加熱し、その結果、アームを互いに押し付けたときに応力白化が一切発生しないようにする。
【００２１】
別の実施形態によれば、クリップは、アームとは離間対向する担体の少なくとも一側に印刷する。印刷は、例えばおしゃぶりでは普通である如く、製造業者の荷印および／または商標とすることができる。
【００２２】
請求項７の装置は、好ましくは請求項１および適用可能な場合は請求項１に従属する従属請求項とに従う装置の特性もまた有する。
【００２３】
バンドの下記の実施形態は、請求項１になる発明とこれに請求項７になる発明もまた加え、その両方に当てはまる。
【００２４】
一実施形態では、バンドはフィルムもしくは編織布材料で作成する。編織布材料は、繊維組成から出来た可撓性材料とする。
【００２５】
一実施形態によれば、バンドはプラスチックあるいは天然素材で作成する。別の実施形態によれば、バンドはポリエステルで作成する。
【００２６】
このバンドは、例えば繊維あるいは紐とする。一実施形態によれば、バンドは平坦な材料とする。
【００２７】
一実施形態によれば、クリップおよび／または繋ぎ留め手段の開口を挿通して給送されるバンドの一区画の一端を、端部から所定距離でバンド付き釦に縫合および／または接着および／または融着および／または掛止および／または結節および／または接合および／または織編および／または接続する。
【００２８】
本発明になる装置を、好適な例示実施形態を示す図面に基づき下記に説明する。図面は、下記を示すものである。
【図面の簡単な説明】
【００２９】
【図１】保持リング付きおしゃぶりに繋ぎ留めた装置を斜視図にて示す。
【図２】スタッド付きおしゃぶりに繋ぎ留めた装置を斜視図にて示す。
【図３】アームを互いに咬合させる前の装置のクリップを側面図にて示す。
【図４】アームを互いに咬合させた後のクリップを拡大側面図にて示す（図４は、図３よりもリブが少ない爪を示す）。
【図５】バンドの端部の上にリングとストラップを繋ぎ留めるバックルを正面図にて示す。
【図６】後方屈曲する繋ぎ留めリングに掛止させたストラップを斜視図にて示す。
【図７】閉じた状態（図７．１）と開いた状態（図７．２）の鋏状の開口を有するクリップを概略側面図にて示す。
【図８】閉じた状態（図８．１）と開いた状態（図８．２）の均一な開口を有するクリップを示す。
【図９】爪上に少数のリブを有するクリップのアームを側面図にて示す。
【図１０】爪の自由端からの距離が増すにつれて高さが減少する爪の上に多数のリブを有するクリップのアームを示す。
【発明を実施するための形態】
【００３０】
図１と図２によれば、装置は可撓性バンド１を有する。バンド１は、例えばプラスチック繊維で出来た編織布である。
【００３１】
クリップ２は、バンド１の一端に繋ぎ留めてある。おしゃぶり４に保持リング５（図１）を、あるいは個別にはおしゃぶり６にスタッド７（図２）を繋ぎ留める手段３が、バンド１の他端に繋ぎ留めてある。おしゃぶり４，６はそれぞれシールドを有し、その内側の凹部からマウスピース９が突出している。
【００３２】
図３によれば、クリップ２は緊急時呼吸孔１１を備えるディスク状担体１０を有する。薄板状のアーム１２，１３が、ディスク状担体１０の一側から突出している。アーム１２は、若干外方に屈曲させてある。アーム１２，１３はディスク状担体１０に対し鋭角で同一方向に若干傾斜させてあり、端部に爪１４，１５を有する。爪１４，１５はアーム１２，１３に対し屈曲させてあり、押し込まれたアーム１２，１３の場合、それらは担体１０に対しほぼ平行に配列される（図４参照）。爪１４，１５は、互いを上にして押し付けたアーム１２，１３の場合には互いに対向し、その内側にそれぞれ数個の平行な鋸歯状リブ１６，１７を有する。アーム１２，１３は、その側面に凹部１９，２０を有する。アーム１３は内側にリブ１３．１を有しており、これにより、アーム１３と担体１０との間に指が入って挟みつけられるのが阻止される。
【００３３】
担体１０は楕円形状を有するとともに、楕円が小径を有するその端部領域にバンド１の一端を挿通給送させることのできるスリット１８を有する（図１と図２）。
【００３４】
クリップ２は、射出成形によりポリプロピレンから一部材として製造される。射出成形ツールから取り外した後、クリップは沸騰水内で加熱し、アーム１２，１３が互いに重なるよう押し付け、これにより、凹部１９，２０が互いに係合する。爪１４，１５はそこで、予張力を受けてそれらのリブ付き内側が互いに係止する。
【００３５】
バンド１の一端はスリット１８を介して挿入され、挿入した端部にはバンド１が縫合および／または接着および／または融着される。
【００３６】
おしゃぶりに繋ぎ留める手段３は、図５になる円形ディスク形状の繋ぎ留めバックル２１を有しており、これがバンド１の一端を挿入する２個の平行なスリット２２，２３を有する。繋ぎ留めリング２４とストラップ２５が、繋ぎ留めバックル２１の対向するエッジから外方へ突出している。おしゃぶりに繋ぎ留めるこれらの手段３は、例えば射出成形を介してプラスチックあるいはシリコーンから一体的に作成する。
【００３７】
おしゃぶりを繋ぎ留めるこれらの手段３には、ループ状様態にてスリット内を挿通して給送されるバンド１の端部が接続してあり、バンド１を縫合および／または接着および／または融着させる（図１と図２）。
【００３８】
図１と図６によれば、おしゃぶり４の繋ぎ留め手段３には保持リング５を接続することができ、繋ぎ留めリング２４に保持リング５を挿通させ、後方に屈曲させ、そこでストラップ２５を掛止させる形をとる。
【００３９】
図２によれば、おしゃぶり６を繋ぎ留める手段３にはスタッド７が接続してあり、繋ぎ留めリング２４をスタッド７に圧嵌させる形がとられる。
装置とおしゃぶり４，６との間の接続は、互いに逆方向に簡単に分離することができる。
【００４０】
さらに、装置はクリップ２の固締を介して縁に確実に繋ぎ留めることができる。
【００４１】
図７によれば、担体１０．１上のクリップ２．１はアーム１２．１，１３．１を有しており、それらはそれらの爪１４．１，１５．１が閉じた状態（図７．１）では互いに平行に配置され、それらの爪１４．１，１５．１が開いた状態（図７．２）では鋏の如く開いている。
【００４２】
図８によれば、担体１０．２上のクリップ２．２はアーム１２．２，１３．２を有しており、爪１４．２，１５．２が閉じた状態（図８．１）でそれらは互いに対し鋭角に配置され、爪１４．２，１５．２が閉じた状態（図８．２）で互いにほぼ平行をなす。
【００４３】
図９によれば、クリップ２．３はアーム１２．３，１３．３を有しており、ここで爪１４．３上のアーム１２．３には１個のリブ１６．３しか配設されておらず、その爪１５．３上のアーム１３．３には２個のリブ１７．３が配設されている。リブ１６．３は、クリップ２．３の閉じた状態においてリブ１７．３間に係合する。
【００４４】
図１０によれば、クリップ２．４はアーム１２．４，１３．４を有する。アーム１２．４の爪１４．４には数個の平行リブ１６．４が配設してあり、リブの高さはアーム１２．４の自由端から遠ざかるにつれ減少する。アーム１３．４には数個の平行リブ１７．４を有する爪１４．４上に配設してあり、このリブの高さもアーム１３．４の自由端から遠ざかるにつれ減少する。
【国際調査報告】
2011529751.tif 000015
2011529751.tif 000016
2011529751.tif 000017
2011529751.tif 000018